(57)【特許請求の範囲】
【請求項１】
二以上の鞄本体と、該鞄本体の各々の縁辺どうしが対向するように、該鞄本体どうしをその内側で保持する保持手段と、一対の前記縁辺に沿って配置される縁取体とを備え、
該縁取体には、前記一対の縁辺の端部がそれぞれ挿入されており、前記保持手段は、前記縁取体に沿って且つ該縁取体よりも内側に配置され、前記鞄本体の内側のみから、前記鞄本体を開閉可能に固定することを特徴とする鞄。
【請求項２】
前記二以上の鞄本体に跨がるように固定された把持手段を備え、前記鞄がキャリーケースとして構成された請求項１に記載の鞄。
【請求項３】
前記縁取体は、前記一対の縁辺の外側で該一対の縁辺に跨って配置される外側被覆片と、各縁辺の内側で該一対の縁辺に跨って配置される内側被覆片と、前記外側被覆片および前記内側被覆片を繋ぐ中間被覆片とを一体的に備えた請求項１または請求項２に記載の鞄。
【請求項４】
前記保持手段はスライドファスナであり、前記鞄本体の内側で、且つ対向する前記縁辺の近傍に、前記スライドファスナの一方テープ部、他方テープ部が、縫着部によって取付けられた請求項１ないし請求項３の何れかに記載の鞄。
【請求項５】
前記縫着部は、前記鞄本体の外側において、前記縁取体の前記外側被覆片に覆われている請求項４に記載の鞄。
【請求項６】
前記二以上の鞄本体のうち少なくとも何れかに、開口部が形成されたことを特徴とする請求項１ないし請求項５の何れかに記載の鞄。
【請求項７】
前記把持手段は、前記二以上の鞄本体の縁辺を対向させた方向に延びる支軸と、該支軸に支持されて前記二以上の鞄本体に跨がる把手とを備えた請求項２に記載の鞄。
【発明の詳細な説明】
【技術分野】
【０００１】
本発明は、複数個に分離可能な鞄本体を備えた鞄、および鞄の製造方法に関する。
【背景技術】
【０００２】
特許文献１に鞄が開示され、また、鞄の連結構造が開示されている。特許文献１に開示された鞄の連結構造は、互いに枢支された二つの鞄本体を閉じる際に、これら二つの鞄本体を二つに分離した状態で、鞄本体を接合するためのものである。連結構造は、二つの鞄本体の縁辺における内側外側を被覆するように、それぞれ合成樹脂性の縁取体が設けられ、スライドファスナにおけるテープ部が、鞄の外側において、各縁取体に対してミシンの縫目によって縫合されている。連結構造では、スライドファスナが備えたスライダによってエレメントを開くことで鞄本体を開き、スライダによってエレメントを閉じることで鞄本体を閉じる。
【先行技術文献】
【特許文献】
【０００３】
【特許文献１】特開２００４−１８７９０７号公報
【発明の概要】
【発明が解決しようとする課題】
【０００４】
特許文献１の鞄では、スライドファスナが鞄の外側に配置されている。しかしながら、スライドファスナが鞄の外側に配置されている場合では、スライドファスナが外力によって破損し易い。
【０００５】
そこで本発明は、外力に対して破損しにくい鞄、および鞄の製造方法の提供を目的とする。
【課題を解決するための手段】
【０００６】
本発明の鞄は、二以上の鞄本体と、該鞄本体の各々の縁辺どうしが対向するように、該鞄本体どうしをその内側で保持する保持手段とを備えたことを特徴とする。
【０００７】
本発明の鞄によれば、二以上の鞄本体どうしの縁辺を対向させるように、鞄本体が内側において保持手段によって組付けられており、保持手段は、鞄本体どうしの内側にあるため、保持手段が確実に保護されるから、外力に対して破損しにくい。
【０００８】
本発明の鞄は、前記保持手段によって保持された前記鞄本体の各々の縁辺において、前記鞄本体の少なくとも外側を被覆する縁取体を備えた構成を採用できる。
【０００９】
本発明の鞄によれば、鞄本体の少なくとも外側が縁取体により覆われている。このため、鞄の外側から外力が働いたとしても、鞄本体の縁辺どうしを外側で被覆する縁取体によって鞄本体の縁辺が保護され、鞄本体の縁辺を対向させるよう保持する保持手段は、鞄本体どうしの内側にあるため、保持手段が確実に保護される。
【００１０】
本発明の鞄では、前記縁取体は、前記鞄本体の外側を被覆する外側被覆片、前記縁辺を被覆する中間被覆片、および前記鞄本体の内側を被覆する内側被覆片を備えた構成を採用できる。
【００１１】
本発明の鞄によれば、縁取体は、鞄本体の外側を被覆する外側被覆片、縁辺を被覆する中間被覆片、鞄本体の内側を被覆する内側被覆片を備えているから、鞄の内部に対して優れた防水性が付与される。また、鞄の外側から外力が働き、あるいは鞄の内側から外力が働いたとしても、鞄本体の縁辺およびその周辺が変形した場合に、鞄本体の縁辺およびその周辺と縁取体とが、該変形に追従するから、鞄本体の縁辺間の対向寸法を維持することができ、その結果、外力に対して柔軟な構成の鞄となる。
【００１２】
本発明の鞄では、前記保持手段はスライドファスナであり、前記鞄本体の内側で、且つ対向する前記縁辺の近傍に、前記スライドファスナの一方テープ部、他方テープ部が、縫着部によって取付けられた構成を採用できる。
【００１３】
本発明の鞄によれば、鞄本体の内側で且つ対向する縁辺の近傍に、スライドファスナの一方テープ部と他方テープ部とが、それぞれ縫着部によって取付けられることにより、スライドファスナのスライダを閉じることにより、対向する鞄本体どうしが確実に保持される。
【００１４】
本発明の鞄では、前記縫着部は、前記鞄本体の外側において、前記縁取体の外側被覆片に覆われている構成を採用できる。
【００１５】
本発明の鞄によれば、縁取体によって一方テープ部および他方テープ部の縫着部が見えないから、見栄えが良好であり洒脱な外観となる。
【００１６】
本発明の鞄では、前記二以上の鞄本体のうち少なくとも何れかに、開口部が形成された構成を採用できる。
【００１７】
本発明の鞄によれば、鞄本体のうち少なくとも何れか一方に形成された開口部によって、保持手段を操作して鞄本体の縁辺を対向させ、あるいは鞄本体どうしを分離させることができる。
【００１８】
本発明の鞄では、前記二以上の鞄本体に跨がるように固定された把持手段を備えた構成を採用できる。
【００１９】
二以上の鞄本体を組合せて構成される従来の鞄においては、把持手段をいずれか一つの鞄本体に装着しており、把持手段を持って鞄を曳く際には、鞄の幅広い側面が進行方向に向いてしまって運びにくかった。しかしながら、上記本発明の構成によれば、把持手段は、幅の広い側面に跨るようにして二以上の鞄本体に跨がせることによって、把持手段を持って鞄を曳く際に、進行方向に向かう面の幅が狭くなり、運び易くなる。
【００２０】
本発明の鞄では、前記把持手段は、前記二以上の鞄本体の縁辺を対向させた方向に延びる支軸と、該支軸に支持されて前記二以上の鞄本体に跨がる把手とを備えた構成を採用できる。
【００２１】
本発明の鞄では、鞄本体の縁辺を対向させた方向に延びる支軸に、二以上の鞄本体に跨がる把手が支持されているため、該支軸を中心として把手を回動させることができ、鞄本体に対する把手の角度を変えることができる。なお、上記構成では鞄本体どうしの縁辺では開閉ができないが、鞄本体のうち少なくとも何れかに開口部が形成されているため、開口部から鞄に荷物を出し入れすることが可能である。
【００２２】
本発明の鞄の製造方法は、上記何れかに記載された鞄の製造方法であって、二以上の鞄本体の各々の内側に、スライドファスナの一方テープ部、他方テープ部をそれぞれ縫着させるスライドファスナ縫着工程と、前記鞄本体の各々の縁辺において、前記鞄本体の少なくとも外側を被覆する縁取体を取付ける縁取体取付け工程と、前記スライドファスナの一方テープ部、他方テープ部を締付けて、前記鞄本体の縁辺を対向させるように保持するケース本体保持工程とを備えたことを特徴とする。
【００２３】
本発明の鞄では、スライドファスナ縫着工程により、一対の鞄本体の各々の内側から、スライドファスナの一方テープ部、他方テープ部をそれぞれ縫着させ、縁取体取付け工程により、鞄本体の各々の縁辺において、鞄本体の少なくとも外側を被覆する縁取体を取付け、ケース本体保持工程により、スライドファスナの一方テープ部、他方テープ部を締付けて、鞄本体の縁辺を対向させるように保持する。このため、鞄の外側から外力が働いたとしても、鞄本体の縁辺どうしを外側で被覆する縁取体によって鞄本体の縁辺が保護され、鞄本体の縁辺を対向させるよう保持する保持手段は、鞄本体どうしの内側にあるため、外力等に対して保持手段が確実に保護される鞄を、効率よく作製することができる。
【発明の効果】
【００２４】
本発明の鞄、および鞄の製造方法によれば、縁取体によって鞄本体の縁辺が保護され、保持手段は鞄本体どうしの内側にあるため、保持手段が確実に保護されるから、外力に対して破損しにくい。
【図面の簡単な説明】
【００２５】
【図１】本発明の第一の実施形態に係るケースの斜視図である。
【図２】同ケースの幅方向中心の高さ方向における、把持手段側の断面図である。
【図３】同連結機構の断面図であり、（ａ）は縫着部を介してスライドファスナを取付けた一部破断断面図、（ｂ）は一方のケース本体に縁取体を取付けた一部破断断面図、（ｃ）は連結機構の一部破断断面図である。
【図４】同縁取体の斜視図である。
【図５】本発明の第二の実施形態に係るケースの連結機構の断面図であり、（ａ）は縫着部を介してスライドファスナを取付けた一部破断断面図、（ｂ）は双方のケース本体に縁取体を取付けた一部破断断面図、（ｃ）は連結機構の一部破断断面図である。
【図６】本発明の第三の実施形態に係るケースにおける、連結機構の一部破断断面図である。
【図７】本発明の第四の実施形態に係るケースにおける連結機構の断面図であり、（ａ）は連結機構の一部破断断面図、（ｂ）は連結機構の組立て状態を示す一部破断断面図である。
【図８】本発明の第五の実施形態に係るケースにおける連結機構の断面図であり、（ａ）は他方のケース本体に縁取体を取付けた一部破断断面図、（ｂ）は一方のケース本体に縁取体を取付ける手前の一部破断断面図である。
【図９】本発明の第六の実施形態に係るケースにおける連結機構の一部破断断面図である。
【図１０】本発明の第七の実施形態に係るケースにおける斜視図であり、図１に対して反対方向からの斜視図である。
【図１１】本発明の第八の実施形態に係る斜視図である。
【図１２】同連結部材の断面図である。
【図１３】別の実施形態を表す断面図であり、ケースの周方向の一部破断断面図である。
【発明を実施するための形態】
【００２６】
以下、本発明の一実施形態に係る鞄を、鞄の一例であるキャリーケース（キャリーバッグとも称する）として説明する。図１に示すように、本発明の第一の実施形態におけるキャリーケース（以下、ケースと称する）１は、ケース１の底壁２に設けられたキャスタ３と、ケース１を運搬する際に用いる把持手段４と、ケース１の、後述する対向面壁５，６に設けられた蓋部７とを備える。キャスタ３は、一般的に用いられている構成であり、底壁２の下部の四隅に配置されている。
【００２７】
ケース１は、一対で一組となって直方体形状に形成されるケース本体８，９をさらに備えている。ケース１は、組合わされたケース本体８，９によって、前記底壁２と、底壁２の上方（後述する高さ方向Ｈにおいて上方）で且つ底壁２に平行に対向する天壁１０と、底壁２と天壁１０とを一方（後述する幅方向Ｂ）で連結する側壁１１，１２と、底壁２と天壁１０とを他方（後述する厚さ方向Ｔ）で連結する対向面壁５，６とを備える。
【００２８】
ケース１における方向の特定の仕方について説明する。ケース１では、底壁２から立上げられる方向に沿った方向を高さ方向Ｈとし、隣合うキャスタ３のうち近い側のキャスタ３に沿った方向を厚さ方向Ｔ（対向面壁５，６の方向）とし、四隅の隣合うキャスタ３のうち遠い側のキャスタ３に沿った方向を幅方向Ｂ（側壁１１，１２の方向）と定義する。対向壁面５，６と側面１１，１２とを比較すると、対向壁面５，６の幅方向Ｂの寸法が大きく、側面１１，１２の厚さ方向Ｔの寸法が小さく形成されている。本発明のケース１では、ケース本体は二以上であるが、本実施形態では、一対のケース本体８，９を用いており、したがって、ケース本体８，９は、厚さ方向Ｔにおいて何れも端部のケース１を構成する部品である。
【００２９】
ここで、ケース本体８，９の構造を詳細に説明する。各ケース本体８，９は、図２、図３に示すように、厚さ方向内側を開放部１３，１４とした矩形形状であって端部に縁辺４０ａ，４１ａを備え、また、各ケース本体８，９は厚さ方向Ｔに対象形状であり、開放部１３，１４どうしが、後述する連結構造１５を介して接合された構成である。開放部１３，１４の端部４０，４１は、ケース１の周面に沿って矩形形状に形成されている。なお、縁辺４０ａ，４１ａは、平面とされている。
【００３０】
図２に示すように、各ケース本体８，９は、縁辺４０ａ，４１ａどうしを対向させることで、底壁２、天壁１０、側壁１１，１２、対向面壁５，６となる予定部を備える。具体的に、各ケース本体８，９は、底壁２となる底壁予定部１６，１７と、天壁１０となる天壁予定部１８，１９と、側壁１１，１２となる側壁予定部２０，２１（図１参照）と、対向面壁５，６となる対向面壁予定部２４，２５とを備える。
【００３１】
図１に示すように、把持手段４は、一対の支軸２６と、一対の杆状部２７と、把手２８とを備える。支軸２６どうしは同心で且つ厚さ方向Ｔに沿っており、対向面壁５，６の高さ方向Ｈの上端部における隅部にそれぞれ形成されている。杆状部２７は、それぞれの支軸２６に回動可能に連結され、厚さ方向Ｔに且つ平行に離間して設けられ、支軸２６周りに回動可能である。把手２８は杆状に形成され、ケース本体８，９に跨るようにして、各杆状部２７の先端どうしに跨って、一個だけ配置されている。また、杆状部２７と把手２８とは、杆状部２７のそれぞれに内装された伸縮部材（図示せず）によって連結されており、把手２８は、伸縮部材によって杆状部２７に対して押したり引いたりして、その位置を調節することができる。
【００３２】
各ケース本体８，９の天壁予定部１８，１９、側壁予定部２０，２１、および対向面壁予定部２４，２５の間における厚さ方向Ｔ内側には、把持手段４の支軸２６を取付けるためのステー３０が、それぞれ形成されている。ステー３０とは、支軸２６を厚さ方向Ｔで一定の角度で取付けるための支持部材である。各ステー３０の厚さ方向Ｔ外側において、天壁予定部１８，１９、側壁予定部２０，２１、および対向面壁予定部２４，２５の連続部分は、杆状部２７の基部３１（支軸２６側の端部）における湾曲部３２を取付けるよう、傾斜して形成されている。
【００３３】
図１に示すように、把手２８（杆状部２７）は、支軸２６回りに回動可能とすることで、ケース１の天壁１０に収納された収納姿勢Ｘ１と、収納姿勢Ｘ１から支軸２６回りに回動した使用姿勢Ｘ２とに切替え可能である。なお、収納姿勢Ｘ１において、把手２８は、天壁１０の隅部に載置可能である。
【００３４】
図２に示すように、蓋部７は、ケース本体８，９のうち、一方のケース本体８の対向面壁予定部２４，２５に設けられている。蓋部７は、矩形形状である。また、一方のケース本体８の対向面壁予定部２４には、蓋部７と相対形状の開口部３３が形成されている。開口部３３は、ケース１の内部に形成された収容空間３４に荷物を投入するためのものである。開口部３３は、対向面壁予定部２４の面積よりもわずかに小さく設定されている。
【００３５】
一方のケース本体８の対向面壁予定部２４の下部において、蓋部７と開口部３３の間に、幅方向Ｂに沿って配置されたヒンジ３５が取付けられている。また、蓋部７の上部と、対向面壁予定部２４の上部との間に、これらを互いに係止する係脱部３６が配置されている。係脱部３６は蓋部７側に設けられた係止片３７と、対向面壁予定部２４側に設けられた被係止片３８とから構成されている。
【００３６】
蓋部７は、ヒンジ３５を介して回動自在であり、蓋部７側に設けられた係止片３７と対向面壁予定部２４側に設けられた被係止片３８とを係止することで、対向面壁予定部２４（ケース１）に固定され、被係止片３８を係止片３７から外すことで、蓋部７は、ヒンジ３５を介して回動可能となる。
【００３７】
次に、図３（ｃ）に基づいて、各ケース本体８，９の開放部１３，１４どうしを連結する連結構造１５について説明する。連結構造１５は、ケース本体８，９の開放部１３，１４の端部４０，４１と、端部４０，４１どうしが厚さ方向Ｔで対向するように各ケース本体８，９（ケース１）を内側から保持するスライドファスナ４２と、対向するように保持された端部４０，４１の、外側および内側を被覆するように配置される縁取体４３とを備えている。
【００３８】
スライドファスナ４２は線ファスナとも称され、マウント４４を有する一方テープ部４６と、マウント４５を有する他方テープ部４７と、スライダ４８とを備えている。スライドファスナ４２の一方テープ部４６は、両ケース本体８，９のうち一方のケース本体８の縁辺４０ａの内側から縫着部５０を介して縫着されている。スライドファスナ４２の他方テープ部４７は、両ケース本体８，９のうち他方のケース本体９の縁辺４１ａの内側から縫着部５１を介して縫着されている。
【００３９】
縫着部５０，５１は、縁辺４０ａ，４１ａから厚さ方向Ｔ外側に所定距離（近傍）だけ離れて配置されている。この所定距離とは、後述する縁取体４３において、外側被覆片５２と内側被覆片５３との間に配置される内側被覆片５３の厚さ方向Ｔの寸法を、わずかに超えた距離である。
【００４０】
縁取体４３は、ゴムシールなどの合成樹脂から形成されている。図１に示すように、縁取体４３は、ケース本体８，９（ケース１）の周面に沿って配置されている。図２、図３（ｂ）に示すように、縁取体４３は、各ケース本体８，９（ケース１）の外側に配置される外側被覆片５２と、各ケース本体８，９の内側に配置される内側被覆片５３と、外側被覆片５２および内側被覆片５３とを連続する中間被覆片５４とから形成されている。縁取体４３は、厚さ方向Ｔにおいて対象形状に形成され、ケース本体８，９の厚さ方向Ｔに比べて充分に小さく設定されている。
【００４１】
外側被覆片５２は、ケース本体８，９の外側の断面を円弧状とするように、断面円弧状（扇状）に形成されている。換言すれば、外側被覆片５２の外周面は厚さ方向Ｔ中央を最大径とする円弧状面５６に形成されている。外側被覆片５２は、開放部１３，１４の端部４０，４１（厚さ方向Ｔに平行な面である）と平行に配置された外内面５５を備え、外内面５５および円弧状面５６は、中間被覆片５４に対し、厚さ方向Ｔに突出して形成され、外内面５５および円弧状面５６は、縫着部５０，５１を覆うことができる長さとされている。
【００４２】
内側被覆片５３は、開放部１３，１４の端部４０，４１と平行に配置された内外面５７と、内外面５７に平行な内面５８とを備えている。内外面５７と内面５８との間は傾斜面５９によって接続されている。内外面５７と内面５８は、中間被覆片５４に対し、厚さ方向Ｔに突出して形成され、縁辺４０ａ，４１ａの中心として、縫着部５０，５１には至らない長さに形成されている。内側被覆片５３と外側被覆片５２では、厚さ方向Ｔにおいて内側被覆片５３の方が短く設定されている。
【００４３】
外側被覆片５２と内側被覆片５３との間に中間被覆片５４が配置され、図３（ｂ）に示すように、中間被覆片５４には、開放部１３，１４の端部４０，４１が挿入される凹部６０，６１が形成されている。凹部６０，６１は、開放部１３，１４の端部４０，４１に沿って形成されている。端部４０，４１の縁辺４０ａ，４１ａと、凹部６０，６１の底面６２，６３とは、平面どうしで接合される。なお、図４に示すように、縁取体４３は、例えば射出成型によって形成されている。
【００４４】
上記構成のケース１の組付け方法の一例を説明する。ケース１の組付け方法は、（１）スライドファスナ縫着工程、（２）ケース本体仮止め工程、（３）ケース本体保持工程とを備える。
【００４５】
（１）スライドファスナ縫着工程
製造者は、図３（ａ）に示すように、分離された状態のケース本体８，９であって、ケース本体８に、スライドファスナ４２の一方テープ部４６を縫着部５０によって取付け、ケース本体９に、他方テープ部４７を縫着部５１によって取付ける。具体的に、図２に示すように、ケース本体８では、側壁予定部２１の高さ方向Ｈの途中の領域において、スライドファスナ４２の上止４２ａが配置され、ケース本体８の開放部１３の周囲に対して、一方テープ部４６を縫着部５０により縫着し、上止４２ａの下方に隣合うようにスライドファスナ４２の下止４２ｂを縫着する。
【００４６】
また、図２に示すように、ケース本体９では、側壁予定部２１の高さ方向Ｈの途中の領域において、スライドファスナ４２の上止４２ａが配置され、ケース本体９の開放部１４の周囲に対して、他方テープ部４７を縫着部５１により縫着し、上止４２ａの下方に隣合うようにスライドファスナ４２の下止４２ｂを縫着する。
【００４７】
この際、縫着部５０は、一方テープ部４６およびケース本体８の開放部１３に形成される。縫着部５１は、他方テープ部４７およびケース本体９の開放部１４に形成される。また、縫着部５０，５１は、端部４０，４１の縁辺４０ａ，４１ａから所定距離だけ離れた位置に、縁辺４０ａ，４１ａから等間隔で配置される。すなわち、縫着部５０，５１における縁辺４０ａ，４１ａからの距離は等しく配置される。これにより、ケース本体８には一方テープ部４６が取付けられ、ケース本体９には、他方テープ部４７が確実に取付けられる。
【００４８】
（２）ケース本体仮止め工程（縁取体取付け工程）
続いて製造者は、図３（ｂ）に示すように、縁取体４３を開放部１３，１４の端部４０，４１に取付けるのであるが、この際、例えば初めに、縁取体４３を一方のケース本体８に取付ける。このとき、縁取体４３では、外側被覆片５２を一方のケース本体８の外側に配置し、内側被覆片５３をケース本体８の内側に配置し、凹部６０に端部４０を沿わせるようにして、端部４０が凹部６０の底面６２に至るように嵌合する。ここで、縫着部５０は、端部４０の縁辺４０ａから所定距離だけ離れた位置に配置されているから、内側被覆片５３（傾斜面５９）は縫着部５０に至らない。
【００４９】
続いて製造者は、図３（ｃ）に示すように、他方のケース本体９の開放部１４の端部４１を、縁取体４３に取付ける。このとき、凹部６１に端部４１を、凹部６１の底面６３に至るようにして嵌合する。そして、縫着部５１は、端部４１の縁辺４１ａから所定距離だけ離れた位置に配置されているから、内側被覆片５３（傾斜面５９）は縫着部５１に至らない。
【００５０】
上記作業により、一方のケース本体８と他方のケース本体９の各々の縁辺４０ａ，４１ａどうしが、縁取体４３によって対向して取付けられ、これによって、縁取体４３によって、一方のケース本体８と他方のケース本体９とが確実に仮止めされる。
【００５１】
（３）ケース本体保持工程
続いて製造者は、ケース本体仮止め工程において一方のケース本体８と他方のケース本体９とを仮止めした状態で、係脱部３６において、被係止片３８を係止片３７から外すことで、蓋部７をヒンジ３５回りに回動させて蓋部７を開く。そして製造者は、ケース１の内側においてスライドファスナ４２のスライダ４８を把持して操作し、例えばスライダ４８を、下止４２ｂからケース１の周囲にスライドさせ、また、上止４２ａまでスライドさせる。これにより、一方のケース本体８と他方のケース本体９が、スライドファスナ４２におけるマウント４４，４５どうしの締結力により、ケース１の内側からスライドファスナ４２の一方テープ部４６、他方テープ部４７が内側被覆片５３に当接（接触）して、ケース本体８，９どうしを確実に保持できる。
【００５２】
また、ケース１の組付け方法としては、（１）スライドファスナ縫着工程、（２）ケース本体仮止め工程、および（３）ケース本体保持工程の他に、ケース１の底壁２にキャスタ３を取付けるためのキャスタ設置工程、杆状部２７の基部３１（支軸２６）をステー３０に取付けるための把手付け工程を備える。そして、蓋部７をヒンジ３５回りに回動させて蓋部７を開くことにより、製造者は、キャスタ設置工程におけるキャスタ３を取付ける作業、把手付け工程における支軸２６を取付ける作業を円滑に進めることができる。
【００５３】
上記ケース１では、把手２８、杆状部２７は、支軸２６回りに回動可能とすることで、ケース１の天壁１０に収納された収納姿勢Ｘ１と、収納姿勢Ｘ１から支軸２６回りに回動した使用姿勢Ｘ２とに切替え可能であり、ケース１を使用するユーザは、把手２８を使用姿勢Ｘ２としたうえで、使い勝手のよいように伸縮部材を介して把手２８を杆状部２７から押したり引いたりして、杆状部２７の長さを調節することでケース１を運び易くできる。
【００５４】
これまでのケース１において、把持手段はいずれか一つのケース本体８，９に装着しており、把持手段を持ってケース１を曳く際には、ケース１の幅広い側面（対向面壁５，６）が進行方向に向いてしまって運びにくかった。しかしなから、本実施形態の構成によれば、把持手段４は、幅の広い側面（対向面壁５，６）に跨るようにしてケース本体８，９に跨がせることから、把持手段４（把手２８）を持ってケース１を曳く際に、幅の狭い側面１１，１２が進行方向に向くため運び易い。
【００５５】
ケース１の把手２８（杆状部２７）は、一方のケース本体８と他方のケース本体９の厚さ方向Ｔに沿った支軸２６に渡されているが、ユーザは、係脱部３６において、被係止片３８を係止片３７から外すことで、蓋部７をヒンジ３５回りに回動させて蓋部７を開き、ケース１の内部に形成された収容空間３４に荷物を投入することができる。また、ユーザは、ケース１の収容空間３４から、荷物を取出すことができる。
【００５６】
ところで、上記ケース１では、スライドファスナ４２がケース１の内側に配置されている。したがって、スライドファスナ４２がケース１の外側に配置されている場合に比べて、ケース１に対する外力がスライドファスナ４２に加わりにくい。また、スライドファスナ４２が破損しにくくスライドファスナ４２によって、縁取体４３を、ケース１の端部４０，４１に確実に支持することができ、一方のケース本体８と他方のケース本体９とを確実に保持することができる。
【００５７】
縁取体４３は、ゴムシールなどの合成樹脂から形成されている。この構成によれば、ケース１に外力が働いて、ケース本体８，９の端部４０，４１どうしが、高さ方向Ｈ、厚さ方向Ｔおよび幅方向Ｂの動いた場合に、縁取体４３の柔軟性により、端部４０，４１が追従することが可能である。よってケース１は、外力に対して柔軟な構成となって、且つケース１の端部４０，４１の対向寸法が確保される。
【００５８】
外側被覆片５２は、縫着部５０，５１を覆うことができる長さに設定されているから、ケース１の端部４０，４１の外側には、外側被覆片５２のみが露出されており、外側被覆片５２は、ケース１の周方向に敷設されていることによりケース１の見栄えが良好となり、ケース１全体が洒脱な外観となる。また、中間被覆片５４の厚さ方向Ｔの長さを調節することで、外側被覆片５２（縁取体４３）の厚さ方向Ｔの幅を小さくすることができる。そして、外側被覆片５２の厚さ方向Ｔの長さは、縫着部５０，５１を覆うことができる範囲とすることが望ましい。
【００５９】
縁取体４３は、各ケース本体８，９の外側に配置される外側被覆片５２と、各ケース本体８，９の内側に配置される内側被覆片５３と、外側被覆片５２および内側被覆片５３とを連続する中間被覆片５４とから形成され、ケース本体８，９の端部４０，４１（縁辺４０ａ，４１ａ）が、凹部６０，６１に嵌合される。このため、ケース１に雨などが降りかかった場合でも、ケース１の内側への防水性が高められる。
【００６０】
上記構成の連結構造１５を備えたケース１によれば、スライドファスナ４２は、ケース１の内側から端部４０，４１を対向させるよう保持するものであるから、スライドファスナ４２を一旦閉じれば、開けることがほとんどなく、しかも、ケース１のメンテナンスとしてスライドファスナ４２を開けることも、場合によっては可能である。
【００６１】
また、スライドファスナ縫着工程により、ケース本体８，９の各々の縁辺４０ａ，４１ａの内側から、スライドファスナ４２の一方テープ部４６、他方テープ部４７をそれぞれ縫着させ、縁取体取付け工程により、ケース本体８，９の各々の縁辺４０ａ，４１ａにおいて、ケース本体８，９に縁取体４３を取付け、ケース本体保持工程により、スライドファスナ４３の一方テープ部４６、他方テープ部４７を締付けて、ケース本体８，９の縁辺４０ａ，４１ａを対向させるように保持する。このため、スライドファスナ４２の一方テープ部４６、他方テープ部４７は、縁取体４３をケース本体８，９に取付けることなく、縫着部５０，５１で取付けられるから、ケース１の製造が容易にできる。
【００６２】
ところで、従来におけるケース本体の連結構造は、縁取体とスライドファスナとを備え、縁取体は二つのケース本体の内側を覆う内側部と、二つのケース本体の外側を覆う外側部と、二つのケース本体の縁辺を覆う中間部とを備えている。そして外側部は、スライドファスナのテープ部の全体を覆っている。また、縫着部は、内側部、ケース本体、および外側部に亘り、且つスライドファスナのテープ部を縫着している。そして外側部は、スライドファスナのテープ部の全体を覆っている。したがって、外側部は、スライドファスナのテープ部の全体を覆っている分だけ、外側部の寸法（厚さ方向Ｔの寸法）が大きくなっていた。さらに、外側部はスライドファスナのスライダを頻繁に開閉するために、開閉するための寸法（厚さ方向Ｔの寸法や、ケースの内外方向の寸法）を残して、スライドファスナのテープ部の全体を覆っている。このように、外側部は、スライドファスナのテープ部の全体を覆っており、且つスライダを開閉するための寸法を確保する必要があって、外側部全体の寸法（厚さ方向Ｔの寸法）が大きくなっていた。
【００６３】
しかしながら、本実施形態では、（１）スライドファスナ縫着工程において、スライドファスナ４２の一方テープ部４６を縫着部５０によって取付け、ケース本体９に、他方テープ部４７を縫着部５１によって取付け、（２）ケース本体仮止め工程において、縁取体４３を開放部１３，１４の端部４０，４１に取付け、（３）ケース本体保持工程では、ケース１の内側においてスライドファスナ４２のスライダ４８を把持して操作する。
【００６４】
このケース１、あるいはケース１の製造方向（ないし連結構造１５）によれば、縫着部５０，５１は縁取体４３には取付けられておらずに、縫着部５０，５１は、テープ部４６，４７とケース本体８，９にあり、しかも、ケース本体８，９の外側にはスライドファスナ４２が配置されておらず、スライドファスナ４２はケース本体８，９の内側に配置され、スライドファスナ４２は、内側被覆片５３に接触するようにテープ部４６，４７を閉じる構成である。
【００６５】
つまり、スライドファスナ４２は縁取体４３には囲まれておらずに露出しており、したがって、スライドファスナ４２を保持させるための余分な構成を設ける必要はない。しかもスライドファスナ４２を一旦閉じれば、頻繁に開けることがない。このため、スライダ４８の開閉のための寸法を確保する必要がない。換言すれば、スライドファスナ４２を開閉するために、開閉するための寸法、すなわち厚さ方向Ｔの寸法や、ケース１の内外方向の寸法を残す必要がない。このために、縁取体４３の厚さ方向Ｔの寸法を従来よりも小さくすることができる。加えて、中間被覆片５４の厚さ方向Ｔの寸法を小さくすることで、いっそう縁取体４３の厚さ方向Ｔの寸法を小さくすることができる。また、ケース本体８，９の内側に配置したスライドファスナ４２を閉じることによって、中間被覆片５４を介してケース本体８，９を確実に取付けることができ、ケース本体８，９が外力に対して柔軟な構成となるとともに、強固な構成となる。
【００６６】
以上、本発明の実施形態について一例を挙げて説明したが、本発明は前記実施形態に限定されるものではなく、本発明の要旨を逸脱しない範囲内において種々の変更を加えることができる。
【００６７】
本発明の第二の実施形態を、図５（ａ）（ｂ）（ｃ）を参照して説明する。第一の実施形態のケース１と第二の実施形態におけるケース１とが異なる構成は、縁取体４３の構成である。縁取体４３は、ケース本体８の端部４０、ケース本体９の端部４１とで、厚さ方向Ｔで二分割されている。つまり、縁取体４３は、一方側縁取体４３Ａと、他方側縁取体４３Ｂとを備える。一方側縁取体４３Ａ、他方側縁取体４３Ｂには、図５（ｂ）（ｃ）で示すように、分割することで形成された分割面４３ａ，４３ｂを備えている。分割面４３ａ，４３ｂはケース１の内外方向に向く平面である。
【００６８】
第二の実施形態におけるケース１の組付け方法では、（１）スライドファスナ縫着工程、（３）ケース本体保持工程は第一の実施形態と同様であり、（２）ケース本体仮止め工程が、ケース本体８の端部４０に一方側縁取体４３Ａを取付け、ケース本体９の端部４１に他方側縁取体４３Ｂを取付ける工程となる。
【００６９】
このケース１においても、スライドファスナ４２が破損しにくく、スライドファスナ４２によって、縁取体４３を、ケース１の端部４０，４１に確実に支持することができるとともに、ケース本体８，９を確実に保持することができ、ケース１に外力が働いたとしても、ケース１の端部４０，４１を保護し、且つ高さ方向Ｈ、厚さ方向Ｔおよび幅方向Ｂに追従することができ、しかもケース１は、外力に対して柔軟な構成となる。また、中間被覆片５４の厚さ方向Ｔの長さを調節し、外側被覆片５２が縫着部５０，５１を覆うことができる範囲で、縁取体４３を小さくすることが可能であり、洒脱な外観となる。
【００７０】
本発明の第三の実施形態を、図６を参照して説明する。第三の実施形態のケース１と第二の実施形態におけるケース１とが異なる構成は、縁取体４３の構成である。縁取体４３において、一方側縁取体４３Ａと他方側縁取体４３Ｂの中間被覆片５４には、厚さ方向Ｔで嵌合し、ケース１の内側および外側で係止する係合部６５、および被係合部６６が一体的に形成されている。第三の実施形態におけるケース１の組付け方法は、第二の実施形態と同様の工程となる。
【００７１】
第三の実施形態によるケース１では、係合部６５および被係合部６６を係合させることで、ケース１に雨などが降りかかった場合でも、ケース１の内側への水の浸入を防止できる。
【００７２】
本発明の第四の実施形態を、図７（ａ）（ｂ）を参照して説明する。第四の実施形態におけるケース１と第一の実施形態におけるケース１とは、保持手段の構成が異なる。すなわち、第四の実施形態におけるケース１の保持手段は、面ファスナ６７である。面ファスナ６７は、互いに係合するフック部６８とループ部６９とを備えている。
【００７３】
フック部６８は、第一の実施形態のケース１の縫着部５０，５１の領域の内側に貼付けられている。ループ部６９はテープ部７０に一体的に形成され、ループ部６９は、テープ部７０において厚さ方向Ｔに離間されている。テープ部７０は、フック部６８とループ部６９とを係合させた際、内側被覆片５３の内面５８に当接（接触）する。そして、第四の実施形態におけるケース１でも、第一の実施形態におけるケース１と同様の作用効果を奏し得る。
【００７４】
本発明の第五の実施形態を、図８（ａ）（ｂ）を参照して説明する。第五の実施形態におけるケース１と第一の実施形態におけるケース１とは、保持手段の構成が異なる。保持手段は、ケース本体８，９の端部４０，４１にそれぞれ形成された複数の嵌合孔７１と、嵌合孔７１に挿通され縁取体４３の外側被覆片５２に一体的に形成された複数のピン７２とを備える。
【００７５】
嵌合孔７１は、第一の実施形態のケース１の縫着部５０，５１の領域であって、ケース本体８，９の端部４０，４１の周方向に離間して複数形成されている。ピン７２は、嵌合孔７１の数だけ形成され、ピン７２の径は、嵌合孔７１の径と略同一である。またピン７２の先端には、ピン７２の本体７２ａに比べて大径の拡径部７３が形成されている。拡径部７３は、ケース１の内側に挿入されて、ケース本体８，９の端部４０，４１の内側面８ａ，９ａに係合される。
【００７６】
縁取体４３は合成樹脂から形成されているから、縁取体４３自体が撓むことが可能であり、例えば、図８（ａ）に示すように、縁取体４３の外側被覆片５２を厚さ方向Ｔの片側から撓ませて、ケース本体９の端部４１を縁取体４３の凹部６１に嵌合するとともに、ピン７２を嵌合孔７１に挿入し、拡径部７３を、ケース本体９の端部４１の内側面８ａ，９ａに係止させる。このような作業を、ピン７２と嵌合孔７１ごとに行う。そして、ケース本体８では、ケース本体８の端部４０において、ピン７２と嵌合孔７１との嵌合を行う。また、図８（ｂ）に示すように、縁取体４３の外側被覆片５２を厚さ方向Ｔの、反対の片側から撓ませて、同様の作業を行う。
【００７７】
このようにすることで、ケース本体８，９の端部４０，４１を対向させて、ピン７２と嵌合孔７１でケース本体８，９の端部４０，４１の保持を行う。拡径部７３は、ケース１の内側に挿入され、ケース本体８，９の端部４０，４１の内側面８ａ，９ａに係合されるように操作される。つまり、拡径部７３は、ケース本体８，９を内側（内側面８ａ，９ａ）から保持する。
【００７８】
本発明の第六の実施形態を、図９を参照して説明する。第六の実施形態におけるケース１と、本発明の第二の実施形態におけるケース１との相違について説明する。第六の実施形態におけるケース１では、一方側縁取体４３Ａと他方側縁取体４３Ｂに、それぞれ縫着部５０，５１が形成されて、一方テープ部４６、他方テープ部４７が、それぞれ一方側縁取体４３Ａと他方側縁取体４３Ｂに縫着されている。
【００７９】
すなわち、縫着部５０は、一方テープ部４６、一方側縁取体４３Ａの内側被覆片５３、ケース本体８の端部４０、一方側縁取体４３Ａの外側被覆片５２に縫着されている。また、縫着部５１は、他方テープ部４７、他方側縁取体４３Ｂの内側被覆片５３、ケース本体９の端部４１、他方側縁取体４３Ｂの外側被覆片５２に縫着されている。
【００８０】
本発明の第六の実施形態のケース１によれば、各縫着部５０，５１は、一方テープ部４６、他方テープ部４７、縁取体４３の内側被覆片５３、ケース本体８，９の端部４０，４１、縁取体４３の外側被覆片５２に縫着されており、スライドファスナ４２でケース本体８，９を内側から閉じている。このため、ケース１に外力が働いたとしても、外力に対してケース１が強靭となる。
【００８１】
本発明の第七の実施形態を、図１０を参照して説明する。本発明の第七の実施形態のケース１は、天壁１０の三方に段部７４が形成されて、天壁１０は、下段領域７５と、下段領域７５から段部７４を介して配置される上段領域７６とを備える。第七の実施形態のケース１において、把手２８の収納姿勢Ｘ１では、把手２８が段部７４に隣合うように配置されるから、把手２８が邪魔にならない。
【００８２】
本発明の第八の実施形態を、図１１、図１２を参照して説明する。上記各実施形態では、縁取体４３および保持手段（例えば、スライドファスナ４２）は、ケース１の周面に沿って設けられていた。しかしながら、縁取体４３および保持手段はこれに限られず、図１１、図１２では、一方のケース本体８，９と、他方のケース本体８，９とを一体化させる連結部材７７が形成されて、その周方向のケース１全体に縁取体４３が設けられている。
【００８３】
この連結部材７７は、側壁１１における高さ方向Ｈの途中領域に配置されている。連結部材７７の断面形状は、第一の実施形態における縁取体４３の断面形状と同一であり、同質の材料で形成されている。すなわち、図１２に示すように、各ケース本体８，９（ケース１）の外側に配置される外側部７８と、各ケース本体８，９の内側に配置される内側部７９と、外側部７８および内側部７９を各々の縁辺４０ａ，４１ａで覆う中間部８０とを備えている。そして、縫着部５０，５１は形成されておらず、連結部材７７の外側部７８、内側部７９、および中間部８０の外周には接着剤８１が塗布されており、連結部材７７とケース本体８，９とが、接着剤８１を介して接合されている。
【００８４】
保持手段（例えば、スライドファスナ４２）は、連結部材７７の上端を上止４２ａとし、連結部材７７の下端を下止４２ｂとして、ケース１の周面に設けられている。本発明の第八の実施形態のように、保持手段は、必ずしもケース１の全周に沿って設けられるものではない。
【００８５】
上記実施形態では、キャリーケースとして鞄の例を挙げた。しかしながら、二以上の鞄本体を備えた鞄であれば、キャリーケースに限定されることはなく、キャスタ３を有せず、本体に対して開閉式の扉を有するアタッシェケース（アタッシュケース）や、ランドセル等の背負い用の鞄等にも使用可能である。
【００８６】
上記実施形態では、対向するように保持された端部４０，４１の縁辺４０ａ，４１ａにおいて、縁取体４３は、縁辺４０ａ，４１ａの外側および内側に配置した。しかしながら、縁取体は縁辺の外側のみを被覆するように配置することもできる。この場合、縁取体は、縁辺の外側に接着または縁取体の弾力性等により設けられる。
【００８７】
上記実施形態では、開口部３３は、一方の対向面壁５に形成したが、双方の対向面壁５，６に配置されていてもよく、この場合、蓋部７は、対向面壁５，６を、それぞれ塞ぐよう構成することもできる。
【００８８】
また、ケース１の組付け作業は、製造者に限ることはなく、（１）スライドファスナ縫着工程、（２）ケース本体仮止め工程、および（３）ケース本体保持工程において、スライドファスナ縫着工程を除いて、ケース１のユーザにも組付けることが可能である。また、例えば、ケース１の内側の清掃のために、ユーザはスライドファスナ４２をケース本体８，９から外し、ケース本体８，９どうしを分離させることができる。
【００８９】
上記各実施形態では、支軸２６の配置は、厚さ方向Ｔに沿い、対向面壁５，６の高さ方向Ｈに形成されている。しかしながら、支軸２６を含めた把持手段４は、いずれかの対向壁面５，６に配置することもできる。この場合では、蓋部７と開口部３３は、把持手段４を形成していない、いずれかの対向壁面５，６に配置することが好ましい。
【００９０】
上記各実施形態では、把持手段は、二以上の鞄本体の縁辺を対向させた方向に延びる支軸と、支軸に支持されて二以上の鞄本体に跨がる把手とを備えた。しかしながら把持手段としては、必ずしも支軸を設ける必要はない。例えば、把持手段の他の例として、一対の杆状部２７を側壁予定部２０，２１に跨いで固定し、把手２８を、杆状部２７の端部に跨るよう設けることもできる。この場合では、把手２８は、伸縮部材によって杆状部２７に対して上下に押したり引いたりして、その位置を調節することができる。
【００９１】
鞄は、二以上の鞄本体であれば、三個以上で構成されていてもよい。例えば、ケース１を三つのケース本体から形成し、ケース本体の各々の縁辺が厚さ方向Ｔで対向するように隣合うケース本体どうしを内側から保持するスライドファスナ４２と、スライドファスナ４２によって保持された隣合うケース本体の各々の縁辺において、隣合うケース本体の少なくとも外側を被覆する縁取体とを備えることもできる。
【００９２】
この場合では、厚さ方向Ｔの中心に配置されたケース本体を中間ケース本体と名付けるものとすると、スライドファスナ４２によって他のケース本体から中間ケース本体を着脱できる。したがって、ユーザは、中間ケース本体をスライドファスナ４２で他のケース本体に装着して、三つのケース本体を備えたケース１とすることができる。あるいは、ユーザは、中間ケース本体を取外せば、二つのケース本体どうしを直接スライドファスナ４２で対向させて保持させることができる。このように、ケース１では、ケース本体を、荷物の都合に合わせた組合せとすることができる。この場合では、把手２８を厚さ方向Ｔの内外に向けて伸縮させる構成を採用できる。
【００９３】
また、この実施形態のように、中間ケース本体を配置したケース１において、把持手段４をケース１に取外し可能に設けておけば、ケース本体は三分割されるため、ケース１の収納時の収納スペースが小さくて済む。
【００９４】
外側被覆片５２の外周面は厚さ方向Ｔ中央を最大径とする円弧状面５６に形成されていたが、外側被覆片５２の外周面は円弧状面５６に限定されず、外側被覆片５２は矩形状面であってもよい。
【００９５】
本発明の他の実施形態として、ケース本体８，９と、ケース本体８，９の各々の縁辺４０ａ，４１ａどうしが対向するように、ケース本体８，９どうしを内側から保持するスライドファスナ４２とを備えた構成を採用できる。この場合、縁取体４３は、ケース本体８，９には設置しない。また、ケース本体８，９の少なくとも何れかに、図１に示すような開口部３３が形成されている。また、スライドファスナ４２の一方テープ部４６、他方テープ部４７は、上記と同様に、各縫着部５０，５１によって縫着される。
【００９６】
この実施形態の場合、図３（ａ）を代用すれば、縁取体４３を設けることなく縁辺４０ａ，４１ａどうしがスライドファスナ４２を閉じることで直接対向する。また、ケース本体８の内側にスライドファスナ４２の一方テープ部４６が接触し、ケース本体９の内側にスライドファスナ４２の他方テープ部４７が接触する。
【００９７】
すなわち、縁取体４３を設けていないから、スライドファスナ４２の厚さ方向Ｔの寸法は、縫着部５０，５１を起点にすると、一方テープ部４６、他方テープ部４７、マウント４４，４５、およびスライダ４８の、各部品に相当する分だけでよいことになり、スライドファスナ４２の厚さ方向Ｔの寸法をいっそう小さくすることができる。そして、本実施形態の場合でも、開口部３３からスライドファスナ４２のスライダ４８を把持して、スライドファスナ４２を閉める。
【００９８】
この構成によれば、ケース本体８，９どうしの連結構造１５が極めて簡単になり、また、スライドファスナ４２は、ケース１（ケース本体８，９）の内側に配置されているため、ケース１の外側からの外力に対して破損しにくい。
【００９９】
上記各実施形態では、保持手段としてのスライドファスナ４２を、ケース１（ケース本体８，９）の内側から閉じた。しかしながら、図１３に示すように、スライドファスナ４２を閉じる（場合によっては開ける）ために、スライダ９０をケース１の外側から閉じることも可能である。
【０１００】
図１３に示す実施形態では、スライドファスナ４２のスライダ９０は、マウント４４，４５に取付けるスライド部分９１に固定された固定部９２と、固定部９２における端部からケース１の外側に向けて延長される延長部９３とを備える。
【０１０１】
固定部９２はスライド部分９１の底９１ａに確実に固定され、例えば、スライド部分９１と同様の厚さ方向Ｔの寸法に形成されている。延長部９３は、固定部９２の端部であり、またスライド部分９１に隣接して、スライドファスナ４２を閉じる方向の端部に形成されている。延長部９３は固定部９２よりも、厚さ方向Ｔの寸法が短く設定されている。また、延長部９３は、固定部９２に略直角に固定されてケース１の外側に向けて延長され、延長部９３における外側部には、摘み９４が形成されている。摘み９４は、例えば、スライドファスナ４２を開く方向に延長され、また、貫通孔９５が形成されている。摘み９４は、ケース本体８，９の外側で、ケース本体８，９の表面８ｂ，９ｂに対して離間することが望ましい。
【０１０２】
図１３はケース１の周方向の断面であり、スライダ９０の延長部９３の左側、すなわちスライドファスナ４２を開く側では、ケース本体８，９の縁辺４０ａ，４１ａが当接した状態であり、スライダ９０の延長部９３の右側、すなわちスライドファスナ４２を閉じる側では、縁辺４０ａ，４１ａが当接していない状態である。また、スライダ９０の延長部９３の、スライドファスナ４２を開く側では、マウント４４，４５が噛合した状態であり、スライドファスナ４２を閉じる側では、マウント４４，４５が噛合していない状態である。
【０１０３】
本実施形態によれば、スライダ９０の固定部９２は、スライド部分９１の底９１ａに固定され、延長部９３がケース１の外側に向けて延長されているので、製造者が摘み９４を把持し、スライドファスナ４２を閉じる側にスライダ９０を移動させると、スライドファスナ４２が閉じて、ケース本体８，９の縁辺４０ａ，４１ａを対向させることができる。このとき、摘み９４は、スライドファスナ４２を開く方向に延長されており、摘み９４は固定部９２と略平行になっているから、製造者が摘み９４を掴みやすくなる。また、摘み９４は、ケース本体８，９の外側で、ケース本体８，９の表面８ｂ，９ｂに対して離間して形成されることで、いっそう摘み９４を把持し易い。
【０１０４】
スライド部分９１と延長部９３との間には、まだ噛合していないマウント４４，４５どうしを、スライダ９０の移動によって噛合させるための空間９６が形成されている。この空間９６によって、マウント４４，４５どうしが噛合しやすい。なお、摘み９４の貫通孔９５に、適宜の把持部材を設けることで、製造者が摘み９４を把持し易くすることも可能である。
【０１０５】
図１３に示す実施形態では、延長部９３は、スライド部分９１に隣接して形成した。しかしながら、延長部９３は、スライド部分９１に対し、スライドファスナ４２を開く側に離間して配置することもできる。図１３に示す実施形態では、縁取体４３は設けていない。しかしながら、この実施形態では、第二の実施形態に係る一方側縁取体４３Ａと、他方側縁取体４３Ｂとを備えることもできる。
【符号の説明】
【０１０６】
１…ケース、４…把持手段、５，６…対向面壁、７…蓋部、８，９…ケース本体、１３，１４…開放部、１５…連結構造、１６，１７…底壁予定部、１８，１９…天壁予定部、２０，２１…側壁予定部、２４，２５…対向面壁予定部、２６…支軸、２８…把手、３０…ステー、３３…開口部、４０，４１…端部、４０ａ，４１ａ…縁辺、４２…スライドファスナ、４３…縁取体、４４，４５…マウント、４６，４７…テープ部、４８…スライダ、５０，５１…縫着部、５２…外側被覆片、５３…内側被覆片、５４…中間被覆片、５５…外内面、５６…円弧状面、５７…内外面、５８…内面、６０，６１…凹部、６２，６３…底面、Ｂ…幅方向、Ｈ…高さ方向、Ｔ…厚さ方向
【図１】
0006857414.tif 000002
【図２】
0006857414.tif 000003
【図３】
0006857414.tif 000004
【図４】
0006857414.tif 000005
【図５】
0006857414.tif 000006
【図６】
0006857414.tif 000007
【図７】
0006857414.tif 000008
【図８】
0006857414.tif 000009
【図９】
0006857414.tif 000010
【図１０】
0006857414.tif 000011
【図１１】
0006857414.tif 000012
【図１２】
0006857414.tif 000013
【図１３】
0006857414.tif 000014